(57)【要約】【課題】梯子の軽量化を図ると共に、梯子の揺れを防止して、安全に避難することができる避難装置を提供すること。【解決手段】ベランダ等の床面に設けられた収納枠２内に収納され、緊急時には下階まで伸長する梯子６を有する避難装置において、梯子は、角断面部を有する一対の縦部材２０と、両縦部材の下部同士を連結する横部材２１とからなる複数の梯子ユニット６０を伸縮可能に連結してなると共に、伸長状態において、梯子の最下端部は下階の床面Ｆに到達しない程度に形成され、最上段の梯子ユニットの上端側部を、収納枠に突設されたブラケット３０に回動可能に取り付け、最下段の梯子ユニットの縦部材に、一端が縦部材に枢着されると共に、ばね部材の弾発力によって他端が縦部材の下方及び手前側に向かって突出状態となる補助脚１０を設ける。梯子の伸長状態において、梯子を支持すべく補助脚を下階の床面に接地可能に形成する。【選択図】図１
2011038296.tif 000002
【特許請求の範囲】
【請求項１】
ベランダ等の床面に設けられた開口部に嵌装・固定される収納枠内に収納され、緊急時には下階まで伸長することによって避難可能とする避難梯子を有する避難装置において、
上記避難梯子は、角断面部を有する一対の縦部材と、両縦部材の下部同士を横方向に連結する横部材とからなる複数の梯子ユニットを伸縮可能に連結してなると共に、伸長状態において、該避難梯子の最下端部は下階の床面に到達しない程度に形成され、
最上段の上記梯子ユニットの縦部材の上端側部を、上記収納枠の一側に突設されたブラケットに回動可能に取り付け、
最下段の上記梯子ユニットの縦部材に、一端が該縦部材に枢着されると共に、ばね部材の弾発力によって他端が縦部材の下方及び手前側に向かって突出状態となる補助脚を設け、
上記避難梯子の伸長状態において、該避難梯子を支持すべく上記補助脚を下階の床面に接地可能に形成してなる、
ことを特徴とする避難装置。
【請求項２】
請求項１記載の避難装置において、
伸長時の避難梯子を傾斜状態に保持する角度規制手段を具備する、
ことを特徴とする避難装置。
【請求項３】
請求項１又は２記載の避難装置において、
上記最下段の梯子ユニットを構成する一対の縦部材に上記補助脚を設けると共に、両補助脚の下端部同士を、下階の床面に接地可能な連結脚にて連結してなる、
ことを特徴とする避難装置。
【請求項４】
請求項１ないし３のいずれかに記載の避難装置において、
上記各梯子ユニットを構成する上記縦部材は、角断面部を背中合わせに有する断面略Ｓ字状に形成され、
上段の上記梯子ユニットの縦部材の手前側の角断面部と下段の上記梯子ユニットの縦部材の奥側の角断面部とが摺動可能に重合され、かつ、最上段及び最下段を除く下段の梯子ユニットの縦部材の奥側の角断面部の上端側の内部に、断面矩形状の合成樹脂製の第１のスライド部材を固設し、避難梯子の伸長状態において、上方に隣接する上段の梯子ユニットの手前側の角断面部の内面が上記第１のスライド部材に摺動可能に接触するように形成し、
上記最下段の梯子ユニットの縦部材の奥側の角断面部の上端側の内部に、断面矩形状の合成ゴム製の第２のスライド部材を固設し、避難梯子の伸長状態において、上方に隣接する上段の梯子ユニットの手前側の角断面部の内面が上記第２のスライド部材に摺動可能に接触するように形成してなる、
ことを特徴とする避難装置。
【請求項５】
請求項４記載の避難装置において、
上記梯子ユニットを構成する一対の縦部材の奥側の角断面部の対向する面部に、奥側に突出するストッパ片を有するストッパ部材を固定し、
上記ストッパ部材の固定部に、上記縦部材の長手方向と直交する軸を中心に回動可能であって、先端に係止爪部を有するロック部材を枢着すると共に、該ロック部材の枢着部にロック部材の先端部を常時奥側に弾発力を付勢するばね部材を装着し、
避難梯子の伸長状態において、上記ストッパ部材のストッパ片を隣接する上段の梯子ユニットの横部材の上面に当接すると共に、上記ロック部材の係止爪部を隣接する上段の梯子ユニットの横部材の下面に係止してなり、
かつ、上記ストッパ部材に、伸長状態から収縮状態に変位する際に、上段のロック部材に当接して上記ばね部材の弾発力の付勢を解除するロック解除部を形成してなる、
ことを特徴とする避難装置。
【発明の詳細な説明】
【技術分野】
【０００１】
この発明は避難装置に関するもので、更に詳細には、ベランダ等に設けられた収納枠内に収納され、緊急時には下方に伸長することによって避難可能とする避難梯子を具備する避難装置に関するものである。
【背景技術】
【０００２】
一般に、この種の避難装置として、ベランダ等のスラブに設けられた開口部に固定される収納枠と、この収納枠の床面側及び天井面側にそれぞれ枢着される上蓋及び下蓋と、収納枠内に折り畳まれて収納されると共に上蓋及び下蓋が開放されたとき、階下の床若しくはその付近まで伸長する例えばパンタグラフ式やテレスコープ式等の避難梯子を具備するものが知られている。
【０００３】
上記のように構成される避難装置においては、避難梯子は片持ち支持であるため、梯子の構成部材を軽量化する必要があり、かつ、避難梯子の伸長状態でも最下端部が下階の床面付近に浮いた状態であるため、避難者が降下する際にはどうしても梯子の揺れ、つまり避難者の重量により梯子の下方（足側）が避難者から遠ざかる方向に移動する現象が生じ、円滑な避難を妨げる要因となっている。
【０００４】
そこで、従来では上記揺れを防止するために、梯子に剛性を持たせるべく梯子ユニットは、側面が開放された角断面部を有する一対の縦部材と、この縦部材を連結する横部材と、この横部材に対向すると共に、横部材よりも伸長方向下方において一対の縦部材を連結する補強部材とを備え、補強部材は、伸長方向に幅を有すると共に、梯子が伸長したとき、互いに隣接する梯子ユニットのうち、伸長方向前方に位置する梯子ユニットの横部材が、後方に位置する梯子ユニットの補強部材に掛け止められる構成にしたテレスコープ式のものが知られている（例えば、特許文献１参照）。
【０００５】
また、側面が開放された角断面部を有する複数の縦部材をパンタグラフ状に連結してなる上下方向に伸縮可能な一対の伸縮体と、これら伸縮体の縦部材間に架設される横部材とを具備するパンタグラフ式のものが知られている（例えば、特許文献２参照）。
【先行技術文献】
【特許文献】
【０００６】
【特許文献１】特開２００８−１０１３４０号公報（特許請求の範囲、図１，図２，図８）
【特許文献２】特許第４２９７４２０号公報（特許請求の範囲、図１）
【発明の概要】
【発明が解決しようとする課題】
【０００７】
しかしながら、特許文献１記載の構造のものにおいては、梯子を構成する複数の梯子ユニットが、それぞれ一対の縦部材と、縦部材間に架設される横部材との他に補強部材を備える構造であるため、構成部材が多くなると共に、組立が面倒となり、重量が嵩む上、コストアップ等が懸念される。
【０００８】
また、特許文献２記載の構造のものにおいては、複数の縦部材をパンタグラフ状に連結してなる上下方向に伸縮可能な一対の伸縮体と、これら伸縮体の縦部材間に架設される横部材とを具備するため、テレスコープ式より構成部材が多くなり、梯子の強度を高くすると重量が嵩む上、コストアップ等が懸念される。
【０００９】
しかも、特許文献１及び特許文献２記載のものは、いずれも避難梯子は片持ち支持であり、梯子の伸長状態において、最下端部が下階の床面付近に浮いた状態であるため、避難時に降下する避難者の重量により梯子の下方（足側）が避難者から遠ざかる方向に移動する揺れを防止することができず、避難者に不安感を与える懸念がある。
【００１０】
この発明は、上記事情に鑑みてなされたもので、梯子の軽量化を図ると共に、梯子の揺れを防止して、安全に避難することができる避難装置を提供することを目的とする。
【課題を解決するための手段】
【００１１】
上記課題を解決するため、この発明は、ベランダ等の床面に設けられた開口部に嵌装・固定される収納枠内に収納され、緊急時には下階まで伸長することによって避難可能とする避難梯子を有する避難装置において、  上記避難梯子は、角断面部を有する一対の縦部材と、両縦部材の下部同士を横方向に連結する横部材とからなる複数の梯子ユニットを伸縮可能に連結してなると共に、伸長状態において、該避難梯子の最下端部は下階の床面に到達しない程度に形成され、  最上段の上記梯子ユニットの縦部材の上端側部を、上記収納枠の一側に突設されたブラケットに回動可能に取り付け、  最下段の上記梯子ユニットの縦部材に、一端が該縦部材に枢着されると共に、ばね部材の弾発力によって他端が縦部材の下方及び手前側に向かって突出状態となる補助脚を設け、  上記避難梯子の伸長状態において、該避難梯子を支持すべく上記補助脚を下階の床面に接地可能に形成してなる、ことを特徴とする。
【００１２】
このように構成することにより、避難梯子の伸長状態において、最下段に設けられた補助脚が下階の床面に接地することにより、避難時に降下する避難者の重量により梯子の下方（足側）が避難者から遠ざかる方向の移動に対して、補助脚が接地面からその動きを抑制する反力を受けるため、避難梯子に加わる避難者の重量（荷重）を、避難梯子の上部（枢着部）と下部の補助脚の両方で分担（分散）することができる。また、避難梯子を構成する各梯子ユニットを、側面が開放された角断面部を有する一対の縦部材と、両縦部材の下部同士を横方向に連結する横部材とで構成することができると共に、縦部材の剛性を低減させることができる。
【００１３】
この発明において、伸長時の避難梯子を傾斜状態に保持する角度規制手段を具備する方が好ましい（請求項２）。
【００１４】
このように構成することにより、角度規制手段によって伸長時の避難梯子を傾斜状態に保持することによって、補助脚が接地面からその動きを抑制する反力を増大させることができる。
【００１５】
また、この発明において、上記最下段の梯子ユニットを構成する一対の縦部材にそれぞれ補助脚を設ける構成としてもよいが、好ましくは両補助脚の下端部同士を、下階の床面に接地可能な連結脚にて連結する方がよい（請求項３）。
【００１６】
このように構成することにより、避難梯子の伸長状態において、補助脚と連結脚が下階の床面に接地するので、接地面積を増大することができる。
【００１７】
また、請求項４記載の発明は、請求項１又は２記載の避難装置において、  上記各梯子ユニットを構成する上記縦部材は、角断面部を背中合わせに有する断面略Ｓ字状に形成され、  上段の上記梯子ユニットの縦部材の手前側の角断面部と下段の上記梯子ユニットの縦部材の奥側の角断面部とが摺動可能に重合され、かつ、最上段及び最下段を除く下段の梯子ユニットの縦部材の奥側の角断面部の上端側の内部に、断面矩形状の合成樹脂製の第１のスライド部材を固設し、避難梯子の伸長状態において、上方に隣接する上段の梯子ユニットの手前側の角断面部の内面が上記第１のスライド部材に摺動可能に接触するように形成し、  上記最下段の梯子ユニットの縦部材の奥側の角断面部の上端側の内部に、断面矩形状の合成ゴム製の第２のスライド部材を固設し、避難梯子の伸長状態において、上方に隣接する上段の梯子ユニットの手前側の角断面部の内面が上記第２のスライド部材に摺動可能に接触するように形成してなる、ことを特徴とする。
【００１８】
このように構成することにより、合成樹脂製の第１のスライド部材によって上下に隣接する梯子ユニットの縦部材同士が円滑に摺動することができる。また、合成ゴム製の第２のスライド部材によって、最下段の梯子ユニットが下降時等に隣接する梯子ユニットに対して摺動してしまうのを摩擦力により抑制することができる。更に、避難梯子の伸長状態において、第１及び第２のスライド部材によって隣接する梯子ユニットの縦部材の重合部に係る避難者の重量に伴う荷重を分散することができる。
【００１９】
また、請求項５記載の発明は、請求項４記載の避難装置において、  上記梯子ユニットを構成する一対の縦部材の奥側の角断面部の対向する面部に、奥側に突出するストッパ片を有するストッパ部材を固定し、  上記ストッパ部材の固定部に、上記縦部材の長手方向と直交する軸を中心に回動可能であって、先端に係止爪部を有するロック部材を枢着すると共に、該ロック部材の枢着部にロック部材の先端部を常時奥側に弾発力を付勢するばね部材を装着し、  避難梯子の伸長状態において、上記ストッパ部材のストッパ片を隣接する上段の梯子ユニットの横部材の上面に当接すると共に、上記ロック部材の係止爪部を隣接する上段の梯子ユニットの横部材の下面に係止してなり、  かつ、上記ストッパ部材に、伸長状態から収縮状態に変位する際に、上段のロック部材に当接して上記ばね部材の弾発力の付勢を解除するロック解除部を形成してなる、ことを特徴とする。
【００２０】
このように構成することにより、避難梯子の伸長状態において、下段の梯子ユニットに設けられたストッパ部材のストッパ片とロック部材の係止爪とで上段の梯子ユニットの横部材を挟持固定することができる。また、避難梯子を伸長状態から収縮状態に変位する際には、下段の梯子ユニットのストッパ部材に設けられたロック解除部が上段のロック部材に当接して該ロック部材に装着されたばね部材の弾発力の付勢を解除することができる。
【発明の効果】
【００２１】
この発明によれば、上記のように構成されているので、以下のような優れた効果が得られる。
【００２２】
（１）請求項１記載の発明によれば、避難梯子に加わる避難者の重量（荷重）を、避難梯子の上部（枢着部）と下部の補助脚の両方で分担（分散）することができるので、避難梯子の揺れを防止することができ、安全に避難することができる。また、避難梯子を構成する各梯子ユニットを、側面が開放された角断面部を有する一対の縦部材と、両縦部材の下部同士を連結する横部材とで構成することができると共に、縦部材の剛性を低減させることができるので、避難梯子の軽量化が図れると共に、コストの低廉化が図れる。
【００２３】
（２）請求項２記載の発明によれば、吊持用ワイヤによって伸長時の避難梯子を傾斜状態に保持することによって、補助脚が接地面からその動きを抑制する反力を増大させることができるので、上記（１）に加えて、更に避難梯子の揺れを防止することができ、安全に避難することができる。
【００２４】
（３）請求項３記載の発明によれば、避難梯子の伸長状態において、補助脚と連結脚が下階の床面に接地することにより、接地面積を増大することができるので、上記（１），（２）に加えて、更に避難梯子の揺れを防止することができ、安全に避難することができる。
【００２５】
（４）請求項４記載の発明によれば、梯子ユニット同士の摺動を円滑にすることができるので、避難梯子の伸縮を円滑にすることができる。更に、避難梯子の伸長状態において、第１及び第２のスライド部材によって隣接する梯子ユニットの縦部材の重合部に係る避難者の重量に伴う荷重を分散することができるので、上記（１）〜（３）に加えて、更に避難梯子に加わる荷重に対する変形を防止することができる。
【００２６】
（５）請求項５記載の発明によれば、避難梯子の伸長状態において、下段の梯子ユニットに設けられたストッパ部材のストッパ片とロック部材の係止爪とで上段の梯子ユニットの横部材を挟持固定することができるので、避難時の避難梯子のずれを防止することができる。したがって、上記（１）〜（４）に加えて、更に避難梯子に剛性を持たせることができると共に、避難梯子の揺れを確実に防止することができる。また、避難梯子を伸長状態から収縮状態に変位する際には、下段の梯子ユニットのストッパ部材に設けられたロック解除部が上段のロック部材に係合して該ロック部材に装着されたばね部材の弾発力の付勢を解除することで、避難梯子の収縮（収納）を容易にすることができる。
【図面の簡単な説明】
【００２７】
【図１】この発明における避難梯子の使用状態（伸長状態）を示す斜視図である。
【図２】上記避難梯子の使用状態（伸長状態）を示す側面図である。
【図３】上記避難梯子の使用状態（伸長状態）を示す正面図である。
【図４】この発明における最下段の梯子ユニットと補助脚を示す斜視図である。
【図５】この発明におけるストッパ部材とロック部材を示す斜視図（ａ）及び（ａ）のＩ部拡大斜視図（ｂ）である。
【図６】この発明における縦部材とスライド部材を示す平面図（ａ）及び（ａ）のII−II線に沿う断面図（ｂ）である。
【図７】上記避難梯子の収縮状態（折り畳み状態）を示す斜視図である。
【図８】この発明における縦部材と横部材の連結部を示す分解斜視図（ａ）及び連結部の拡大断面図（ｂ）である。
【図９】上記避難梯子の収納状態を示す断面図である。
【図１０】図９のIII−III線に沿う断面図である。
【図１１】上記避難梯子の使用（伸長）手順を示す概略斜視図である。
【図１２】上記補助脚と連結脚を示す要部斜視図である。
【図１３】この発明に係る避難装置の別の実施形態を示す斜視図（ａ）及び（ａ）のIV部拡大図（ｂ）である。
【発明を実施するための形態】
【００２８】
以下に、この発明に係る避難装置の実施形態を添付図面に基づいて詳細に説明する。
【００２９】
この発明の避難装置は、床、ベランダ等のスラブ１に設けられた開口部１ａに嵌装・固定される方形状の収納枠２と、この収納枠２の１辺の床面側及び天井面側にそれぞれ枢着される上蓋３及び下蓋４と、収納枠２内に折り畳まれて収納されると共に階下の床若しくはその付近まで伸長する避難梯子６（以下に梯子６という）と、この梯子６の伸長降下速度を制御すると共に梯子６を引上げ収納する緩降器７と、上蓋３と下蓋４とを互いに連動して開閉動作させる開閉連動機構８と、伸長状態の梯子６を傾斜状態に保持する吊持用ワイヤ９と、梯子６の下端部に設けられて梯子６の揺れを防止する補助脚１０と、で主要部が構成されている。
【００３０】
上記梯子６は、側面が開放された角断面部６ａ，６ｂを有する一対の金属製の縦部材２０と、両縦部材２０の下部同士を横方向に連結する金属製の横部材２１とからなる複数段（図面では８段の場合を示す）の梯子ユニット６０ａ〜６０ｈを伸縮可能に連結してなると共に、伸長状態において、梯子６の最下端部は下階の床面Ｆに到達しない程度に形成されている。
【００３１】
最上段の梯子ユニット６０ａの縦部材２０の上端側部は、収納枠２の一側２ａに突設されたブラケット３０に回動可能に取り付けられて、梯子６は片持ち支持されている。
【００３２】
また、収納枠２の対向する側面部２ｂ，２ｃと、上段側の梯子ユニットすなわち最上段の梯子ユニット６０ａを構成する両縦部材２０は、角度規制手段である可撓性を有する吊持用ワイヤ９にて連結されている。この吊持用ワイヤ９によって伸長時の梯子６が傾斜状態に保持されるように形成されている。
【００３３】
上記縦部材２０は、梯子ユニット６０ａ〜６０ｈの手前側（正面から見た手前側）の内方及び奥側の外方が開放する角断面部６ａ，６ｂを背中合わせに有する断面略Ｓ字状に形成されている。すなわち、縦部材２０は、図６に示すように、中央片２０ａの両端から相対方向に側片２０ｂ，２０ｃが屈曲するクランク状基部２０ｄと、クランク状基部２０ｄの各側片２０ｂ，２０ｃの先端から直交状に屈曲される互いに平行な手前片２０ｅ，奥片２０ｆと、手前片２０ｅ，奥片２０ｆの先端から中央部に向かって直交状に屈曲され、中央片２０ａとの間に開口部２０ｇを形成する折曲片２０ｈ，２０ｉとからなる角断面部６ａ，６ｂを背中合わせに有する断面略Ｓ字状に形成されている。なお、側片２０ｂ，２０ｃの外面に対して折曲片２０ｈ，２０ｉの外面は縦部材２０の板厚分内方側に位置している。
【００３４】
上記一対の縦部材２０の奥側の角断面部６ｂの対向する側片２０ｃに横部材２１が連結されている。この場合、横部材２１は、図５，図７及び図８に示すように、平坦上面片２１ａの長手方向の両側に屈曲される一対の垂下片２１ｂと、両垂下片２１ｂの下端から内方に向かって屈曲される一対の下部水平片２１ｃを有しており、長手方向の端部には一方の垂下片２１ｂの端部から直交状に屈曲される第１の端部垂直片２１ｄと、他方の垂下片２１ｂの端部から内方に直交状に屈曲されると共に第１の端部垂直片２１ｄの外側面に重合される第２の端部垂直片２１ｅとを有する。そして、横部材２１の長手方向の端部の第１及び第２の端部垂直片２１ｄ，２１ｅが縦部材２０の奥側の角断面部６ｂの対向する側片２０ｃにリベット９０をもって連結固定されている。この場合、図９に示すように、縦部材２０の側片２０ｃには例えば絞り加工によって内方側に向かって突出する略小判形状の突部２０ｌが形成されており、この突部２０ｌに穿設された取付孔２０ｍに挿入されるリベット９０が横部材２１の第１及び第２の端部垂直片２１ｄ，２１ｅに穿設された取付孔２１ｆを貫通して、横部材２１の内部でかしめ固定されている。
【００３５】
上記のように形成される上段の梯子ユニット６０の縦部材２０の手前側の角断面部６ａと下段の梯子ユニット６０の縦部材２０の奥側の角断面部６ｂとが摺動可能に重合されている。
【００３６】
この場合、最上段及び最下段を除く下段の梯子ユニット６０の縦部材２０の奥側の角断面部６ｂの上端側の内部に、断面矩形状の合成樹脂製の第１のスライド部材４０が固設されており、梯子６の伸長状態において、上方に隣接する上段の梯子ユニット６０の手前側の角断面部６ａの内面が第１のスライド部材４０に摺動可能に接触するように形成されている（図６参照）。この場合、第１のスライド部材４０の一側面の長手方向の両端側の２箇所に突起部４１が突設されている。これら突起部４１を縦部材２０の奥片２０ｆに設けられた取付孔２０ｊ内に嵌合することで、第１のスライド部材４０が縦部材２０の奥側の角断面部６ｂ内の奥片２０ｆと折曲片２０ｉに接触した状態で固設される。この状態では、第１のスライド部材４０と中央片２０ａ及び側片２０ｂとの間には、隣接する縦部材２０の手前側の角断面部６ａを形成する手前片２０ｅと折曲片２０ｉが摺動可能に挿入できる隙間２０ｋが設けられている（図６（ａ）参照）。
【００３７】
上記のように、梯子ユニット６０の縦部材２０の奥側の角断面部６ｂの上端側の内部に、断面矩形状の合成樹脂製の第１のスライド部材４０を固設し、梯子６の伸長状態において、上方に隣接する上段の梯子ユニット６０の手前側の角断面部６ａの内面が第１のスライド部材４０に摺動可能に接触するように形成することにより、金属製部材同士の摺動に比べて隣接する梯子６の収縮を円滑にすることができる。つまり、金属製縦部材２０の角断面部６ａ，６ｂ同士の摺動では、角断面部６ａ，６ｂの角部の高精度の加工が必要であるが、上述のように、合成樹脂製のスライド部材４０と縦部材２０の隣接する２片すなわち手前片２０ｅと折曲片２０ｉを摺動可能に接触することにより、左右の縦部材２０の摺動部にずれを生じることなく円滑に摺動することができる。更に、梯子６の伸長状態においては、梯子６に加わる避難者の重量による荷重を第１のスライド部材４０が圧縮力として分担（分散）するので、梯子６すなわち縦部材２０が変形するのを防止することができる。
【００３８】
一方、最下段の梯子ユニット６０ｈの縦部材２０の奥側の角断面部６ｂの上端側の内部に、断面矩形状の合成ゴム製の第２のスライド部材４０Ａが固設されており、梯子６の伸長状態において、上方に隣接する上段の梯子ユニット６０ｇの手前側の角断面部６ａの内面が第２のスライド部材４０Ａに摺動可能に接触するように形成されている。なお、第２のスライド部材４０Ａも第１のスライド部材４０と同様に縦部材２０の奥側の角断面部６ｂの上端側の内部に固設されるので、同一部分には同一符号を付して説明は省略する。
【００３９】
上記のように、最下段の梯子ユニット６０ｈの縦部材２０の奥側の角断面部６ｂの上端側の内部に、合成ゴム製の第２のスライド部材４０Ａを固設し、梯子６の伸長状態において、上方に隣接する上段の梯子ユニット６０ｇの手前側の角断面部６ａの内面が第２のスライド部材４０Ａに摺動可能に接触するように形成することにより、梯子６の伸長時には、縦部材２０と第２のスライド部材４０Ａとの摩擦力によって最下段の梯子ユニット６０ｈが隣接する梯子ユニット６０ｇに対して摺動してしまうのを抑制することができる。更に、梯子６の伸長状態においては、梯子６に加わる避難者の重量による荷重を第２のスライド部材４０Ａが圧縮力として吸収するので、梯子６すなわち縦部材２０が変形するのを防止することができる。
【００４０】
上記補助脚１０は、最下段の梯子ユニット６０ｈを構成する両縦部材２０の手前側に、それぞれ枢支ボルト１１をもって一端が枢着されると共に、図１０に示すように、枢支ボルト１１に巻装され、一端が縦部材２０に係止し、他端が補助脚１０に係止するばね部材例えばコイルばね１２の弾発力によって他端が縦部材２０の下方及び手前側に向かって突出状態となるように設けられている。この場合、補助脚１０は、断面略逆Ｕ字状に形成され、基端部の平坦状の上部片１０ａに設けられた切欠部１０ｂを介して上部片１０ａの両端から直交状に折曲される両側片１０ｃが縦部材２０を跨いで取り付けられ、両側片１０ｃと縦部材２０に枢支ボルト１１が貫通して取り付けられている。また、補助脚１０の基端部側の外方の両側部片１０ｃには、枢支ボルト１１の枢支点の同心円弧状のガイド溝１０ｄが設けられており、縦部材２０の手前側片２０ｂに突設されたガイドピン１３がガイド溝１０ｄ内に摺動可能に貫通している。
【００４１】
なお、補助脚１０の床面Ｆへの接地部には、補助脚１０が床面Ｆに接地する際の衝撃の緩和と、床面Ｆとの接地の滑りを防止するために例えば防振ゴム１５が取り付けられている。なお、防振ゴムに代えて補助脚１０の接地面を粗面状にして床面Ｆとの接地の滑りを防止するようにしてもよい。
【００４２】
上記のように補助脚１０を設けることにより、梯子６の伸長状態において、梯子６の下端部を下階の床面Ｆから浮かした状態で、補助脚１０の下端部が下階の床面Ｆに接地して梯子６を支持することができる。したがって、伸長時に梯子６に加わる避難者の重量（荷重）を、梯子６の上部の枢着部と下部の補助脚１０の両方で分担（分散）することができる。
【００４３】
なお、上記説明では、両縦部材２０にそれぞれ補助脚１０を取り付けた場合に付いて説明したが、図１２に示すように、上記と同様に取り付けられた一対の補助脚１０の下端部同士を、下階の床面Ｆに接地可能な連結脚１４にて連結してもよい。なお、連結脚１４の少なくとも床面Ｆへの接地面には上記と同様に例えば防振ゴム１５が取り付けられている。
【００４４】
このように、両補助脚１０の下端部同士を連結脚１４にて連結することにより、床面Ｆと補助脚１０及び連結脚１４との接触面積を増大させることができ、梯子６の揺れを更に確実に防止することができる。
【００４５】
また、最上段及び最下段の梯子ユニット６０ａ，６０ｈを除く梯子ユニット６０ｂ〜６０ｇを構成する一対の縦部材２０の上端側には、梯子６の伸長時に上方に隣接する梯子ユニット６０ａ〜６０ｆの横部材２１に係合して梯子のずれを防止するためのストッパ部材５０とロック部材７０が取り付けられている。
【００４６】
すなわち、最上段及び最下段の梯子ユニット６０ａ，６０ｈを除く梯子ユニット６０ｂ〜６０ｇを構成する一対の縦部材２０の奥側の角断面部６ｂの対向する面部に、奥側に突出するストッパ片５１を有するクランク状に屈曲された板状のストッパ部材５０の固定片５０ａが固定ボルト５２をもって固定されている。また、このストッパ部材５０の固定片５０ａには、縦部材２０の長手方向と直交する軸である固定ボルト５２を中心に回動可能であって、先端に係止爪部７１を有するロック部材７０が枢着されると共に、該ロック部材７０の枢着部にロック部材７０の先端部を常時奥側に弾発力を付勢するばね部材７２が装着されている。
【００４７】
上記のように形成されるストッパ部材５０とロック部材７０を設けることによって、梯子６の伸長状態において、ストッパ部材５０のストッパ片５１が隣接する上段の梯子ユニット６０ｂ〜６０ｆ（以下に符号６０で代表する）の横部材２１の上面に当接すると共に、ロック部材７０の係止爪部７１を隣接する上段の梯子ユニット６０の横部材２１の下面に係止して、ストッパ片５１と係止爪部７１とで横部材２１を挟持固定する。したがって、ストッパ片５１と係止爪部７１とで横部材２１を挟持固定することにより、縦部材２０の摺動を抑制し、補助脚１０の接地面における摩擦力を増大させることができる。
【００４８】
なお、ストッパ部材５０には、梯子６が伸長状態から収縮状態に変位する際に、上段のロック部材７０に係合してばね部材７２の弾発力の付勢を解除するロック解除部５３が形成されている。このロック解除部５３は、ストッパ部材５０の固定片５０ａとストッパ片５１間に形成される段部によって形成されている。このようにストッパ部材５０にロック解除部５３を設けることにより、梯子６を伸長状態から収縮状態に変位する際に、下段の梯子ユニット６０のストッパ部材５０に設けられたロック解除部５３が上段のロック部材７０に係合して該ロック部材７０に装着されたばね部材７２の弾発力の付勢を解除することで、梯子６の収縮を容易にすることができる。
【００４９】
上記のようにして収縮された梯子６は各梯子ユニット６０ａ〜６０ｈの縦部材２０が積層された状態で折り畳まれ、上端のブラケット３０による枢着部により収納枠２内に回動された後、上蓋３と下蓋４が閉鎖して収納される（図９参照）。この収納状態においては、補助脚１０はコイルばね１２の弾発力に抗して上蓋３が閉鎖されるので、補助脚１０は上蓋３の裏面に当接している。
【００５０】
なお、上蓋３と下蓋４は、それぞれ収納枠２の一側端部にヒンジ３ａ，４ａを介して開閉可能に枢着されており、上蓋３及び下蓋４の両側辺及び収納枠２の対向する側面部２ｂ，２ｃに取り付けられる一対の開閉連動機構８によって上蓋３と下蓋４が互いに連動して開閉動作し得るように構成されている。なお、上蓋３の略中央内面側には、手掛け部５が固設されている。
【００５１】
また、緊急時に上蓋３を開放するラッチ機構８０が設けられている。このラッチ機構８０は、図８に示すように、上蓋３の自由端側の辺に設けられる係止部材８１と、収納枠２の側面部２ｄに設けられ、上蓋３及び下蓋４が閉鎖状態において、係止部材８１と係合可能な係合部材８２とで構成されている。
【００５２】
上記のように構成される避難装置を火災等の緊急時に使用する場合は、まず、ラッチ機構８０の係止部材８１と係合部材８２の係合を解除した後、図１１（ａ）に示すように、上蓋３と下蓋４を開放すると、上蓋３及び下蓋の開放と同時に、図１１（ｂ）に示すように、梯子６が下蓋４に載った状態で下方に回動する。すると、図１１（ｃ）に示すように、緩降器７により梯子６は制御されながら伸長降下し、下段側の梯子ユニット６０に設けられたストッパ部材５０が上方に隣接する上段の梯子ユニット６０の横部材２１の上面に当接すると共に、ロック部材７０の係止爪部７１が横部材２１の下面に当接して、ストッパ部材５０とロック部材７０とで横部材２１を挟持固定する。そして、最下段の梯子ユニット６０ｈに設けられた補助脚１０が下階の床面Ｆに接地して、床面Ｆに到達しない梯子６を支持する（図１〜図３参照）。この状態で、吊持用ワイヤ９（角度規制手段）によって梯子６は手前側に傾斜した状態で保持される。
【００５３】
上記のように、使用時（避難時）には、梯子６は、補助脚１０が下階の床面Ｆに接地し、吊持用ワイヤ９によって傾斜状に伸長される。この状態で、避難者が降下すると、避難者の重量により梯子６の下方（足側）が避難者から遠ざかる方向の移動に対して、補助脚１０が床面Ｆからその動きを抑制する反力による摩擦力を受けるため、梯子６に加わる避難者の重量（荷重）を、梯子の上部の枢着部と下部の補助脚１０の両方で分担（分散）することができる。したがって、梯子６の揺れを防止することができ、安全に避難することができる。
【００５４】
なお、梯子６を使用状態（伸長状態）から収縮して収納する場合は、緩降器７のワイヤを巻き取って、最下段の梯子ユニット６０ｈを隣接する梯子ユニット６０ｇに対して相対的に摺動させて上方へ引上げる。この際、下段の梯子ユニット６０の縦部材２０に固定されたストッパ部材５０に設けられたロック解除部５３が上段のロック部材７０に係合して該ロック部材７０に装着されたばね部材７２の弾発力の付勢を解除しながら、各梯子ユニット６０は順次上方側へ引上げられて重ね合わされる。そして、収納枠２内に収納された状態で、上蓋３及び下蓋４が閉鎖される。
【００５５】
また、上記実施形態の避難装置によれば、梯子６を構成する各梯子ユニット６０ａ〜６０ｈを、内方，外方側面が開放された角断面部６ａ，６ｂを有する一対の縦部材２０と、両縦部材２０の下部同士を連結する横部材２１とで構成することができると共に、従来の上端部のみで吊持する梯子に比べて縦部材２０の剛性を低減させることができるので、梯子の軽量化が図れると共に、コストの低廉化が図れる。
【００５６】
なお、上記実施形態では、この発明に係る避難装置がスライド式の梯子６を具備する場合について説明したが、パンタグラフ式の梯子６Ａを具備する避難装置においても同様に適用することができる。
【００５７】
すなわち、図１３に示すように、側面に開口部を有する複数の一対の縦部材２０Ａをパンタグラフ状に連結し、対峙する縦部材２０Ａの下部同士を横方向に連結する横部材２１Ｂとからなる複数の梯子ユニット６０Ａを上下方向に伸縮可能に形成した梯子６Ａの最下段の梯子ユニット６０Ａに、上記実施の形態と同様に補助脚１０を取り付ける。
【００５８】
なお、図１３に示す実施形態において、その他の部分は上記第１実施形態と同じであるので、同一部分には同一符号を付して説明は省略する。
【００５９】
上記のように構成される第２実施形態の避難装置においても、使用時（避難時）には、梯子６Ａは、補助脚１０が下階の床面Ｆに接地し、傾斜状に伸長される。なお、第２実施形態においても、梯子６Ａを傾斜状態に保持する角度規制手段を設ける方が好ましい。第２実施形態における角度規制手段は、図１３（ｂ）に示すように、最上段の縦部材２０Ａを回動可能に取り付けるブラケット３０の回動軸部の下部側付近に突設され、最上段の縦部材２０Ａを傾斜状態に当接する傾斜支持部材９Ａによって形成されている。この状態で、避難者が降下すると、避難者の重量により梯子６の下方（足側）が避難者から遠ざかる方向の移動に対して、補助脚１０が床面Ｆからその動きを抑制する反力を受けるため、梯子６Ａに加わる避難者の重量（荷重）を、梯子の上部の枢着部と下部の補助脚１０の両方で分担（分散）することができる。したがって、梯子６Ａの揺れを防止することができ、安全に避難することができる。
【符号の説明】
【００６０】
１  スラブ
２  収納枠
２ａ  収納枠の一側
６，６Ａ  避難梯子
６ａ，６ｂ  角断面部
９  吊持用ワイヤ（角度規制手段）
９Ａ  傾斜支持部材（角度規制手段）
１０  補助脚
１１  枢支ボルト
１２  コイルばね（ばね部材）
１４  連結脚
２０，２０Ａ  縦部材
２１，２１Ａ  横部材
２０ｇ  開口部
２０ｊ  取付孔
４０  第１のスライド部材
４０Ａ  第２のスライド部材
４１  突起部
５０  ストッパ部材
５０ａ  固定片
５１  ストッパ片
５３  ロック解除部
６０，６０ａ〜６０ｈ  梯子ユニット
７０  ロック部材
７１  係止爪部
７２  ばね部材
Ｆ  床面
【図１】
2011038296.tif 000003
【図２】
2011038296.tif 000004
【図３】
2011038296.tif 000005
【図４】
2011038296.tif 000006
【図５】
2011038296.tif 000007
【図６】
2011038296.tif 000008
【図７】
2011038296.tif 000009
【図８】
2011038296.tif 000010
【図９】
2011038296.tif 000011
【図１０】
2011038296.tif 000012
【図１１】
2011038296.tif 000013
【図１２】
2011038296.tif 000014
【図１３】
2011038296.tif 000015